(57)【特許請求の範囲】
【請求項１】
免震構造を有する建築物の水切構造であって、
前記水切構造が、基礎側水切部と、建物側水切部と、前記基礎側水切部と建物側水切部との間に介装される止水部材とを備え、
前記基礎側水切部を構成する水切部材は、水垂れを形成するよう成形されたひさし状部を有する板材とされ、
前記止水部材が、前記基礎側水切部に配設された基礎側止水部と、前記建物側水切部に配設された建物側止水部とからなり、前記基礎側止水部と前記建物側止水部とがスライド自在に当接されてなる
ことを特徴とする水切構造。
【請求項２】
建物側水切部を構成する水切部材は、水垂れを形成するよう成形されたひさし状部を有する板材とされて床組の下地材に固定されてなることを特徴とする請求項１記載の水切構造。
【請求項３】
基礎側水切部を構成する水切部材が、上端に所定の下り勾配とされた基礎側傾斜部を有し、
前記基礎側傾斜部の内側端部が、免震構造の基礎側部と一体化されてなる
ことを特徴とする請求項１記載の水切構造。
【請求項４】
基礎側水切部を構成する水切部材が、基礎側面に固定されてなることを特徴とする請求項１記載の水切構造。
【請求項５】
建物側水切部を構成する水切部材は、鉄骨に取り付けられた下地板材と、該下地板材と下端を揃えるようにして接合された外壁面材とされてなることを特徴とする請求項１記載の水切構造。
【発明の詳細な説明】
【０００１】
【発明の属する技術分野】
本発明は、水切構造に関する。さらに詳しくは、免震構造の建築物に適合するよう改良が加えられた水切構造に関する。
【０００２】
【従来の技術】
従来より、免震構造の建築物においては、建物外周に設けられる水切金物が地震の際に破損することがあり、その保守に手間を要するという問題がある。
【０００３】
免震構造は、建築物と基礎との間にスライド板などを配設して、地震の際に建物の揺れを小さくするようにした構造である。例えば、免震構造を採用した住宅では、コンクリート基礎と、鉄骨で構成される床組との間に免震用の支持層を設けるようにして、建物が地震により揺れたときに支持層が左右に動くことで地震の揺れを吸収する仕組みとされている。
【０００４】
また、水切部材は、建物外周に建物と基礎との接合箇所を止水するように設けられるものとされる。したがって、免震構造の支持層を間に挟むようにして上下構造物に両端が固定される方式のものが多く、この場合は地震等により建物が揺れたときに変形を受けて破損することがある。これを避けるようにした従来の免震建築向けの水切部材として、建物が揺れたときに固定部分が外れるようにした水切構造が知られている。
【０００５】
しかしながら、このような免震建築向けの水切部材は、地震等によて固定部分が外れる度に再度取付作業を行う必要があり、手間を要するという問題がある。
【０００６】
【発明が解決しようとする課題】
本発明はかかる従来技術の課題に鑑みなされたものであって、免震構造が採用された建築物の水切部材の保守を容易にすることができる水切構造を提供することを目的としている。
【０００７】
【課題を解決するための手段】
本発明の水切構造は、免震構造を有する建築物の水切構造であって、前記水切構造が、基礎側水切部と、建物側水切部と、前記基礎側水切部と建物側水切部との間に介装される止水部材とを備え、前記基礎側水切部を構成する水切部材は、水垂れを形成するよう成形されたひさし状部を有する板材とされ、前記止水部材が、前記基礎側水切部に配設された基礎側止水部と、前記建物側水切部に配設された建物側止水部とからなり、前記基礎側止水部と前記建物側止水部とがスライド自在に当接されてなることを特徴とする。
【０００８】
本発明の水切構造においては、建物側水切部を構成する水切部材は、水垂れを形成するよう成形されたひさし状部を有する板材とされて床組の下地材に固定されていてもよい。
【０００９】
また、本発明の水切構造においては、基礎側水切部を構成する水切部材が、上端に所定の下り勾配とされた基礎側傾斜部を有し、前記基礎側傾斜部の内側端部が、免震構造の基礎側部と一体化されていてもよい。
【００１０】
さらに、本発明の水切構造においては、基礎側水切部を構成する水切部材が、基礎側面に固定されていてもよく、また、建物側水切部を構成する水切部材は、鉄骨に取り付けられた下地板材と、該下地板材と下端を揃えるようにして接合された外壁面材とされていてもよい。
【００１２】
【作用】
本発明の水切構造は、前記の如く構成されているので、地震などにより建物が揺れても水切部材が損傷するおそれはない。そのため、水切部材の保守が容易となる。
【００１３】
【発明の実施の形態】
以下、添付図面を参照しながら本発明を実施形態に基づいて説明するが、本発明はかかる実施形態のみに限定されるものではない。
【００１４】
実施形態１
図１および図２に本発明の実施形態１に係る水切構造の概略構成を示し、この水切構造Ｋ１は、免震構造を有する建築物における建物と基礎との接合部分を化粧しながら止水する水切構造とされる。
【００１５】
水切構造Ｋ１は、具体的には、床組１と例えばコンクリート製の基礎２との間に免震用の支持層３が設けられた免震構造の建物の外周において、床組１と基礎２との接合部分を化粧しながら止水するように水切部材１０を設けてなるものとされる。
【００１６】
ここで、床組１は、鉄骨１ａの端面にＬ字状のプレート１ｂにより下地合板１ｃを取り付け、下地合板１ｃの上端部分に外壁面材１ｄを接合するようにして形成されている。
【００１７】
支持層３は地震により基礎２が横揺れしたときにも床組１の揺れが緩やかなものとなるよう、左右方向のずれを許容するような態様で床組１を基礎２により支持させるものとされている。
【００１８】
水切部材１０は、各水垂れ１１、１２、１３、１４を形成するよう鉛直方向に多段のひさし状部分が並ぶように成型された例えばステンレス板材とされる。水切部材１０の上端部分は、床組１の下地合板１ｃに固定され、下端部分は基礎２に固定されている。
【００１９】
また、水切部材１０は、鉛直方向の中間部分で２分割されており、つまり分割体とされており、これによって地震などにより床組１と基礎２とが相対的に変位した場合にも、変形をうけることなく変位を吸収することが可能とされる。
【００２０】
図２に、２分割された水切部材１０の上側部分（建物側水切部）１０ａと、下側部分（基礎側水切部）１０ｂとの接続部分Ｐ１を拡大した様子を示す。接続部分Ｐ１は、上側部分１０ａの下端に水平方向に延びるように形成される平板状部分（以下、建物側水平部という）２１と、下側部分１０ｂの上端に水平方向に延びるように形成される平板状部分（以下、基礎側水平部という）２２とを所定の間隙で対向させるようにして形成されている。
【００２１】
また、建物側水平部２１と、基礎側水平部２２との間隙には止水部材３０が設けられており、これによって雨水の侵入を防止するものとされる。
【００２２】
止水部材３０は、建物側水平部２１に貼設される所定形状の発泡材（建物側止水部）３１と、基礎側水平部２２に貼設される所定形状の発泡材（基礎側止水部）３２と、をスライド自在に当接させるようにして形成されている。また、発泡材３１および発泡材３２の各当接面は、図示はされていないが、ヒレ状体とされそのヒレ状体が相互に噛み合うようにされている。つまり、止水部材３０は、建物側水切部１０ａと、基礎側水切部１０ｂとの相対移動を担保しながら止水可能な構成とされている。
【００２３】
止水部材３０がかかる構成とされていることにより、雨水の建物内への侵入防止が図られ、また建物側水平部２１と基礎側水平部２２とが相対的に変位した場合にも、止水部材３０が破壊されることがないので、止水性を維持することが可能となる。なお、止水部材３０としてひれ状のガスケットを用いることも可能である。
【００２４】
このように、この実施形態１の水切構造Ｋ１は、支持層３の上下で両端が固定される水切部材１０を上下に２分割しているので、つまり水切部材１０を建物側水切部１０ｂと基礎側水切部１０ａとにより構成しているので、支持層３上下の構造物が地震により相対的に変位した場合にも、水切部材１０が破損されることなく止水性を維持することが可能となる。したがって、水切構造の保守を容易とすることが可能となる。
【００２５】
実施形態２
図３および図４に本発明の実施形態２に係る水切構造の概略構成を示し、この水切構造Ｋ２は、免震構造を有する建築物と基礎との接合部分を化粧しながら止水する水切構造とされる。
【００２６】
水切構造Ｋ２は具体的には、床組１Ａと例えばコンクリート製の基礎２Ａとの間に免震用の支持層３Ａが設けられた免震構造の建物の外周において、床組１Ａと基礎２Ａとの接合部分を化粧しながら止水するように水切部材４０を設けてなるものとされる。
【００２７】
ここで、床組１Ａは、鉄骨１Ａａの端面にＬ字状のプレート１Ａｂにより下地合板１Ａｃを取り付け、これと下端を揃えるように外壁面材１Ａｄを接合してなるものとされている。
【００２８】
支持層３Ａは、床組１Ａが固定される上層３Ａａと基礎２Ａが固定される下層３Ａｂとを有し、地震により基礎２Ａが横揺れしたときにも床組１Ａの揺れが緩やかなものとなるよう、左右方向のずれを許容するように床組１Ａを基礎２Ａにより支持させるものとされている。また、支持層３Ａの上層３Ａａの側面は下地合板１Ａｃおよび外壁面材１Ａｄ（以下、両者を併せて壁材という）により覆われるとともに、下層３Ａｂの側面は水切部材４０により覆われるものとされる。つまり、この実施形態２では、壁材１Ａｃ，１Ａｄにより建物側水切部が構成され、水切部材４０により基礎側水切部が構成される。
【００２９】
水切部材４０は、各水垂れ４１、４２を形成するように鉛直方向に多段のひさし状部分が並ぶように成型されたステンレス板材とされる。水切部材４０の上端部分は、所定の下り勾配を設けて支持層３Ａの下層３Ａｂと一体的に形成され、下端部分は基礎２Ａに固定されている。つまり、水切部材４０の傾斜部内側端部４１ａは、免震構造の基礎側部３Ａｃと水密に接合されている。
【００３０】
また、水切部材４０の上面と壁材１Ａｃ、１Ａｄの下端面とは所定の間隙で対向配置されており、これによって地震などにより床組１と基礎２とが相対的に変位した場合にも、互いに干渉することなく水切部材４０が破損するのを防止することが可能となる。
【００３１】
図４に、水切部材４０の上面と壁材１Ａｃ、１Ａｄの下端面との接続部分Ｐ２を拡大した様子を示す。接続部分Ｐ２は、所定の間隙で対向配置された水切部材４０の上面と壁材１Ａｃ、１Ａｄの下端面との間に止水部材５０を嵌装するようにして形成されている。
【００３２】
止水部材５０は、壁材１Ａｃ、１Ａｄの下端面に貼設される所定形状の発泡材（建物側止水部）５１と、水切部材４０の傾斜部４１ａの上面に貼設される所定形状の発泡材（基礎側止水部）５２とを当接させるようにしてなるものとされている。また、発泡材５１および発泡材５２の各当接面は、図示はされていないが、ヒレ状体とされそのヒレ状体が相互に噛み合うようにされている。つまり、止水部材５０は、発泡材５１および発泡材５２の相対移動を担保しながら止水可能な構成とされている。これによって、例えば地震により壁材１Ａｃ、１Ａｄと水切部材４０とが相対的に変位した場合にも、止水部材５０を破壊することなく止水性を維持することが可能となる。なお、止水部材５０としてひれ状のガスケットを用いることも可能である。
【００３３】
このように、この実施形態２の水切構造Ｋ２は、水切部材４０を２分割することなく、床組１Ａと基礎２Ａとの相対的変位を吸収可能な態様で水切部材４０と壁材１Ａｃ、１Ａｄとの接続部分Ｐ２を止水するものとしているので、水切部材４０を２分割する場合と比較して、下地を簡略化し施工時間を短縮することができるとともに、部品点数を減少させてコストダウンを図ることも可能となる。また、水切部材４０を小型化することができるため、意匠的な制約を排除することも可能となる。
【００３４】
また、実施形態１および実施形態２の各水切構造Ｋ１、Ｋ２は地震の際のみに機能するものではなく、例えば強風により建物が揺れたような場合にも同様に機能するものである。強風により建物が揺れるような事態は頻繁に起こり得ることであるため、この点を考慮すると本発明の水切構造Ｋ１、Ｋ２によるメリットが如何に大きいかが容易に理解される。
【００３５】
【発明の効果】
以上詳述したように、本発明の水切構造によれば、地震などにより建物が揺れても水切部材が損傷するおそれはないという優れた効果が得られる。そのため、水切部材の保守が容易となるという優れた効果も得られる。
【図面の簡単な説明】
【図１】本発明の実施形態１に係る水切構造の概略構成を示す要部断面図である。
【図２】図１のＰ１部拡大図である。
【図３】本発明の実施形態２に係る水切構造の概略構成を示す要部断面図である。
【図４】図３のＰ２部拡大図である。
【符号の説明】
Ｋ            水切構造
Ｐ            接続部分
１            床組
２            基礎
３            支持層
１０、４０    水切部材
３０、５０    止水部材
【図１】
0003991333.tif 000002
【図２】
0003991333.tif 000003
【図３】
0003991333.tif 000004
【図４】
0003991333.tif 000005